(57)【要約】    【課題】  泥棒の侵入時や地震発生時に玄関、廊下、階段、居室などの照明を点灯させることができるようにした非常時点灯制御機器を提供する。    【解決手段】  所定の大きさ以上の地震の発生を検知して後述の第２のリレー回路のリレーコイルへの通電回路を閉成する感振機器(34)と、防犯システム(20)によって異常が検知された時リレーコイルに通電されてリレー接点を閉成する第１リレー回路(31)と、第１のリレー回路のリレー接点が閉成されたとき又は感振機器によって通電回路が閉成されたときにリレーコイルに通電されて複数のリレー接点を閉成する第２リレー回路(33)と、第２のリレー回路のリレー接点に接続され、照明灯と電源入力との間を接続して照明灯を即時点灯させる非常時即時点灯通電回路(310)と、を備える。【選択図】  図２
2010257102.tif 000002
【特許請求の範囲】
【請求項１】
商用電源を入力として複数の照明灯を点灯させる照明灯システムと、窓の開閉、窓ガラスの破損あるいは不審者の侵入から異常を検知して警報を発生する防犯システムとを備えた建造物において、
所定の大きさ以上の地震の発生を検知して後述の第２のリレー回路のリレーコイルへの通電回路を閉成する感振機器と、
上記防犯システムによって異常が検知された時リレーコイルに通電されてリレー接点を閉成する第１リレー回路と、
該第１のリレー回路のリレー接点が閉成されたとき又は上記感振機器によって通電回路が閉成されたときにリレーコイルに通電されて複数のリレー接点を閉成する第２リレー回路と、
該第２のリレー回路のリレー接点に接続され、照明灯と電源入力との間を接続して照明灯を即時点灯させる非常時即時点灯通電回路と、
を備えたことを特徴とする非常時点灯制御機器。
【請求項２】
上記第２のリレー回路のリレー接点に接続され、照明灯と電源入力との間を接続する非常時遅れ点灯通電回路と、
該非常時遅れ点灯通電回路の途中に接続され、リレーコイルへの通電によってリレー接点を開成し、通電が停止されたときにリレー接点を閉成する第３のリレー回路と、
上記第１のリレー回路のリレー接点が閉成されたとき又は上記感振機器によって通電回路が閉成されたときにタイマーが始動され、所定時間の間上記第３のリレー回路のリレーコイルに通電する第２のタイマー機構と、
を備えた請求項１記載の非常時点灯制御機器。
【請求項３】
商用電源を入力として複数の照明灯を点灯させる照明灯システムと、窓の開閉、窓ガラスの破損あるいは不審者の侵入から異常を検知して警報を発生する防犯システムとを備えた建造物において、
所定の大きさ以上の地震の発生を検知して後述の第２のリレー回路のリレーコイルへの通電回路を閉成する感振機器と、
上記防犯システムによって異常が検知された時リレーコイルに通電されてリレー接点を閉成する第１リレー回路と、
該第１のリレー回路のリレー接点が閉成されたとき又は上記感振機器によって通電回路が閉成されたときにリレーコイルに通電されて複数のリレー接点を閉成する第２リレー回路と、
該第２のリレー回路のリレー接点に接続され、照明灯と電源入力との間を接続する非常時遅れ点灯通電回路と、
該非常時遅れ点灯通電回路の途中に接続され、リレーコイルへの通電によってリレー接点を開成し、通電が停止されたときにリレー接点を閉成する第３のリレー回路と、
上記第１のリレー回路のリレー接点が閉成されたとき又は上記感振機器によって通電回路が閉成されたときにタイマーが始動され、所定時間の間上記第３のリレー回路のリレーコイルに通電する第２のタイマー機構と、
を備えたことを特徴とする非常時点灯制御機器。
【請求項４】
上記非常時遅れ通電回路には照明灯の点灯時に該点灯を検知して上記第３のリレー回路のリレーコイルへの通電を遮断する制御リレーを備えた請求項２又は３記載の非常時点灯制御機器。
【請求項５】
上記第１のリレー回路のリレー接点が閉成されたとき又は上記感振機器によって通電回路が閉成されたときにタイマーが始動され、第２のタイマー機器の設定時間よりも長い所定時間の間第２のリレー回路のリレー接点を閉成する第１のタイマー機構を、更に備えた請求項１又は３記載の非常時点灯制御機器。
【発明の詳細な説明】
【技術分野】
【０００１】
本発明は非常時点灯制御機器に関し、特に泥棒の侵入時や地震発生時に玄関、廊下、階段、居室などの照明を点灯させることができるようにした制御機器に関する。
【背景技術】
【０００２】
例えば、窓の開放や窓ガラスの割れなどから泥棒の侵入を検知し、警報を発生するようにした防犯システムが種々開発され、実用化されている（特許文献１、特許文献２）。
【０００３】
また、地震発生時に、センサーで地震を検知すると、発光素子を発光させあるいは照明灯を点灯させ、照明によって迅速に非常用品を取り出し、迅速に避難し、又逃げ後れた被災者を迅速に発見できるようにした非常用ボックスや照明灯器具が提案されている（特許文献３、特許文献４）。
【先行技術文献】
【特許文献】
【０００４】
【特許文献１】特開平２００７−１４８６９８号公報
【特許文献２】実公昭５９−２６４６１号公報
【特許文献３】特開２００５−１１８５３９号公報
【特許文献４】実用新案登録第３１３３０４４号公報
【発明の開示】
【発明が解決しようとする課題】
【０００５】
しかし、従来公報記載の防犯システムでは泥棒の侵入時に警報を発するものであったので、警報が故障しあるいは警報の信号線が切断されていると防犯効果を発揮し得ない。
【０００６】
また、夜間に地震が発生すると、周囲が暗くて非常用ボックスや照明灯器具を探すのが煩雑である。
【０００７】
本発明は、かかる問題点に鑑み、泥棒の侵入時や地震発生時に玄関、廊下、階段、居室などの照明を点灯させることができるようにした非常時点灯制御機器を提供することを課題とする。
【課題を解決するための手段】
【０００８】
そこで、本発明に係る非常時点灯制御機器は、商用電源を入力として複数の照明灯を点灯させる照明灯システムと、窓の開閉、窓ガラスの破損あるいは不審者の侵入から異常を検知して警報を発生する防犯システムとを備えた建造物において、所定の大きさ以上の地震の発生を検知して後述の第２のリレー回路のリレーコイルへの通電回路を閉成する感振機器と、上記防犯システムによって異常が検知された時リレーコイルに通電されてリレー接点を閉成する第１リレー回路と、該第１のリレー回路のリレー接点が閉成されたとき又は上記感振機器によって通電回路が閉成されたときにリレーコイルに通電されて複数のリレー接点を閉成する第２リレー回路と、該第２のリレー回路のリレー接点に接続され、照明灯と電源入力との間を接続して照明灯を即時点灯させる非常時即時点灯通電回路と、を備えたことを特徴とする。
【０００９】
本発明の特徴の１つは防犯システムの異常検知によって第１のリレー回路のリレー接点を閉成させて第２のリレー回路のリレーコイルに通電するか、又は感振機器による地震検知によって第２のリレー回路のリレーコイルに通電し、非常時即時点灯通電回路を閉成して照明灯を即時点灯させるようにした点にある。
【００１０】
これにより、窓の開閉、窓ガラスの破損、不審者の侵入など泥棒の侵入時や地震発生時に玄関、廊下、階段、居室などの照明灯を即時点灯させることができ、泥棒を驚かせて退散させることができ、又夜間の地震時に迅速に照明でき、安全に避難でき、逃げ後れた被災者を迅速に発見することができる。
【００１１】
上記では異常時や地震発生時に照明灯を即時点灯させるようにしたが、最近の照明灯器具には遠隔コントローラ（リモコン）で点灯消灯させるタイプのものがあり、このタイプの照明灯では壁面スイッチはＯＮのままで消灯していることがある。かかる場合、上述の即時点灯の制御では対応できない。そこで、通電回路（非常時即時通電回路を含む）をリセットして電源を再投入すると照明灯を遅れ点灯させることができる。
【００１２】
すなわち、第２のリレー回路のリレー接点に接続され、照明灯と電源入力との間を接続する非常時遅れ点灯通電回路と、非常時遅れ点灯通電回路の途中に接続され、リレーコイルへの通電によってリレー接点を開成し、通電が停止されたときにリレー接点を閉成する第３のリレー回路と、第１のリレー回路のリレー接点が閉成されたときにタイマーが始動され、所定時間の間上記第３のリレー回路のリレーコイルに通電するタイマー機構とを更に備えるのがよい。
【００１３】
また、照明灯を即時点灯させず、遅れ点灯のみをさせることもできる。すなわち、本発明に係る非常時点灯制御機器は、商用電源を入力として複数の照明灯を点灯させる照明灯システムと、窓の開閉、窓ガラスの破損あるいは不審者の侵入から異常を検知して警報を発生する防犯システムとを備えた建造物において、所定の大きさ以上の地震の発生を検知して後述の第２のリレー回路のリレーコイルへの通電回路を閉成する感振機器と、上記防犯システムによって異常が検知された時リレーコイルに通電されてリレー接点を閉成する第１リレー回路と、該第１のリレー回路のリレー接点が閉成されたとき又は上記感振機器によって通電回路が閉成されたときにリレーコイルに通電されて複数のリレー接点を閉成する第２リレー回路と、該第２のリレー回路のリレー接点に接続され、照明灯と電源入力との間を接続する非常時遅れ点灯通電回路と、該非常時遅れ点灯通電回路の途中に接続され、リレーコイルへの通電によってリレー接点を開成し、通電が停止されたときにリレー接点を閉成する第３のリレー回路と、上記第１のリレー回路のリレー接点が閉成されたときにタイマーが始動され、所定時間の間上記第３のリレー回路のリレーコイルに通電するタイマー機構と、を備えたことを特徴とする。
【００１４】
この場合、照明灯が点灯されていると、上述の遅れ点灯の制御ができない。そこで、非常時遅れ通電回路には照明灯の点灯時に該点灯を検知して第３のリレー回路のリレーコイルへの通電を遮断する制御リレーを備えるのがよい。
【００１５】
上述の制御リレーを設けて第３のリレー回路への通電を遮断するようにすると、照明灯の消灯中に照明灯が遅れ点灯し、第３のリレー回路に過電流が流れると、制御リレーが第３のリレー回路への通電を遮断してしまい、照明灯を点灯させることができない。
【００１６】
そこで、第１のリレー回路のリレー接点が閉成されたとき又は感振機器によって通電回路が閉成されたときにタイマーが始動され、第２のタイマー機器の設定時間よりも長い所定時間の間第２のリレー回路のリレー接点を閉成する第１のタイマー機構を、更に備えるのがよい。
【図面の簡単な説明】
【００１７】
【図１】本発明に係る非常時点灯制御機器を備えた建造物を示す概略図である。
【図２】上記非常時点灯機器の好ましい実施形態を示す構成図である。
【図３】図３の右半部の拡大図である。
【図４】図３の左半部の拡大図である。
【発明を実施するための形態】
【００１８】
以下、本発明を図面に示す具体例に基づいて詳細に説明する。図１ないし図４は本発明に係る非常時点灯制御機器の好ましい実施形態を示す。図１において、各部屋には照明灯１１が取付けられ、照明灯１１は通電回路によって商用電源に接続され、壁面スイッチ１０によって点灯消灯されるようになっている。
【００１９】
また、家屋には防犯システム２０が取付けられ、防犯システム２０は公知のドア・窓センサーによって窓の開閉や窓ガラスの破損を検知し、あるいは赤外線センサーや超音波センサーによって不審者の侵入を検知すると、無線信号をシステム本体に送信し、システム本体が警報機を作動させるようになっている。この防犯システム２０には例えばパナソニック電工社製のワイヤレスセキュリティ送信器・受信器を採用することができる。
【００２０】
さらに、家屋にはリレー盤３０が装備されている。このリレー盤３０は泥棒の侵入時や地震発生時に照明灯１１を即時点灯させあるいは遅れ点灯させるようになっている。
【００２１】
図２ないし図４は本例の非常時点灯制御機器の回路構成を示す。図において、防犯システム２０はドア・窓センサー送信機２１とセキュリィティ受信機２２とから構成され、ドア・窓センサー送信機２１は家屋のドアや窓にセットされ、ドアや窓の開放や窓ガラスの破損を検知して無線信号をセキュリティ受信機２２に送信し、警報を発生させるようになっている。
【００２２】
リレー盤３０は基本的には第１のリレー回路３２２、ＡＣ１００ＶをＡＣ２５Ｖに降圧する降圧回路３１、第２のリレー回路３３、３２０、感振機器３４、第１、第２のタイマー機器３５、３２１、第３のリレー回路３６、３８、単相電流リレー（制御リレー）３７、３９、非常時即時点灯通電回路３１０の一部及び非常時遅れ点灯通電回路３１１、３１２の一部によって構成されている。
【００２３】
ここで、感振機器３４には例えばオムロン社製の感振装置を用いることができ、タイマー機器３５、３２１には例えばオムロン社製のソリッドステートタイマーを用いることができ、単相電流リレー３７、３９にはオムロン社製の単相電流リレーを採用することができる。
【００２４】
今、スイッチ１２ＡをＯＮすると、商用電源３１６、照明灯１１Ａ、スイッチ１２Ａ、商用電源３１５の経路が閉成して電流が流れ、照明灯１１Ａが点灯する。
【００２５】
また、スイッチ１２ＢをＯＮすると、商用電源３１５、照明灯１１Ｂ、第３のリレー回路３６のノルマルクローズのリレー接点３６Ｂ、単相電流リレー３７、スイッチ１２Ｂ、商用電源３１６の経路が閉成し、照明灯１１Ｂが点灯する。
【００２６】
さらに、３路スイッチ１２ＣがＯＮされると、商用電源３１７、３路スイッチ１２Ｃ、単相電流リレー３９、第３のリレー回路３８のノルマルクローズのリレー接点３８Ｂ、照明灯１１Ｃ、商用電源３１７の経路が閉成し、照明灯１１Ｃが点灯する。
【００２７】
例えば、震度５以上の地震が発生すると、感振機器３４が切片２が端子３から端子４に切り替わり、商用電源３１８、感振機器３４、第２のリレー回路３３のリレーコイル、商用電源３１８の経路で閉成して第２のリレー回路３３のリレーコイルに電流が流れ、ノルマルオープン形のリレー接点が閉成し、商用電源３１５、第２のリレー回路３３のリレー接点、照明灯１１Ａ、商用電源３１６の経路が閉成し、照明灯１１Ａは即時点灯する。したがって、照明灯１１Ａを玄関、廊下、階段などの照明灯に採用すると、避難の照明に活用できる。
【００２８】
また、感振機器３４が切片２が端子３から端子４に切り替わると、第１のタイマー機器３２１の接点２と７の接続が切断され、第１、第２のタイマー機器３２１、３５のリセットが解除される。
【００２９】
第１のタイマー機器３２１のリセットが解除されると、第１のタイマー機器３２１の接点２と６が接続され、第１のタイマー機器３２１が作動され、設定時間、例えば６秒間の間、第２のリレー回路３２０のリレーコイルが通電され、接点が閉成され、商用電源３１５、照明灯１１Ｂ、第３のリレー回路３６のノルマルクローズ形の接点、第２のリレー回路３２０のリレー接点、商用電源３１６の経路が閉成される。
【００３０】
他方、第２のリレー回路３２０のリレーコイルが通電されると、第２のタイマー機構３５の接点２と接点６が閉成され、第３のリレー回路３６、３８のリレーコイルに電流が流れ、ノルマルクローズ形のリレー接点が設定時間、例えば５秒間の間開成される。
【００３１】
したがって、照明灯１１Ｂ、１１Ｃが消灯されていると、第３のリレー回路３６、３８のリレー接点の開成によって回路がリセットされ、第２のタイマー機構３５での設定時間、５秒が経過すると、第３のリレー回路３６、３８のリレー接点が閉成し、照明灯１１Ｂ、１１Ｃが遅れ点灯することとなる。照明灯１１Ｂ、１１Ｃを居間、街灯、玄関などの照明灯に採用すると、避難の照明に活用できるばかりでなく、逃げ後れた被災者を探すのに活用できる。
【００３２】
照明灯１１Ｂ、１１Ｃが点灯している場合、地震が発生すると、第１のタイマー機構３２１が作動して設定時間、例えば６秒間、第２のリレー回路３２０のリレーコイルが通電され、接点が閉成され、商用電源３１５、照明灯１１Ｂ、第３のリレー回路３６のノルマルクローズ形の接点、第２のリレー回路３２０のリレー接点、商用電源３１６の経路が閉成される。
【００３３】
他方、第２のリレー回路３２０のリレーコイルが通電されると、照明灯１１Ｂ、１１Ｃが消灯している場合には第２のタイマー機構３５の接点２と接点６が閉成され、第３のリレー回路３６、３８のリレーコイルに電流が流れ、ノルマルクローズ形のリレー接点が設定時間、例えば５秒間の間開成されて照明灯機器がリセットされ、遅れ点灯されるのであるが、照明灯１１Ｂ、１１Ｃの点灯しているときに地震が発生すると、単相電流リレー３７、３９は第３のリレー回路３６、３８のリレー接点３６Ｂ、３８Ｂにおける設定電流、例えば０．５Ａ以上の通電を検知して、切片１１が接点１２から接点１４に切り替わっているので、第３のリレー回路３６，３８のリレーコイルには通電されず、照明灯１１Ｂ、１１Ｃはそのまま点灯を継続する。
【００３４】
防犯システム２０で異常が検知されると、リレー接点２２Ａが閉成し、第１のリレー回路３１のリレーコイルに電流が流れ、リレー接点が閉成し、第２のリレー回路３３、３２１のリレーコイルに電流が流れ、リレー接点が閉成する。後は、地震発生時と同様に動作して照明灯１１Ａが即時点灯し、照明灯１１Ｂ、１１Ｃが遅れ点灯しあるいは点灯を継続し、防犯及び地震発生時の避難や被災者探索に効果を発揮する。
【符号の説明】
【００３５】
１１Ａ、１１Ｂ、１１Ｃ      照明灯
１２Ａ、１２Ｂ、１２Ｃ      スイッチ
２０                        防犯システム
３０                        リレー盤
３２２                      第１のリレー回路
３３、３２０                第２のリレー回路
３４                        感振機器
３５、３２１                タイマー機器
３６、３８                  第３のリレー回路
３７，３９                  単相電流リレー（制御リレー）
【図１】
2010257102.tif 000003
【図２】
2010257102.tif 000004
【図３】
2010257102.tif 000005
【図４】
2010257102.tif 000006